(57)【要約】 【課題】係止突部を設けた挿入管が、ソケット部（鞘管）を設けた他方連結管（ソケット管）に挿入して管路接続を行うものであって、鞘管端部近傍内周面に係止突部が係合する係合凹条部と、凹条部に係止突部が進出可能とする開口端切欠部を形成して挿入管の抜け止めを実現している管路の接続作業（管体の抜き差し並びに回動の一連の作業）を、確実に且つ容易に実施できる手工具を提供する。【解決手段】  挿入管の挟持機構を備えた抱持部１と、ソケット管のソケット部管軸方向全体及び半周以内を密着被覆すると共に、ソケット部外周を摺動可能な形状とした摺動部２とを、管軸方向で抱持部と摺動部の間隔を調整できる作動杆３で連結し、抱持部又は摺動部に作動杆の動作機構４を設けた。【選択図】  図１
2005279905.tif 000002
【特許請求の範囲】
【請求項１】
挿入管の挟持機構を備えた抱持部と、ソケット管のソケット部管軸方向全体及び半周以内を密着被覆すると共に、ソケット部外周を摺動可能な形状とした摺動部とを、管軸方向で抱持部と摺動部の間隔を調整できる作動杆で連結し、抱持部又は摺動部に作動杆の動作機構を設けてなることを特徴とする管体の接続取り外し用手工具。
【請求項２】
作動杆の一端側を抱持部に固定すると共に、作動杆の反対側を摺動部に抜き差し自在に装着し、作動杆の動作機構を、作動杆に刻設したラックと、摺動部に軸装して前記ラックと噛合うピニオンギアと、前記ピニオンギアを回動させる操作レバーとで構成してなる請求項１記載の管体の接続取り外し用手工具。
【請求項３】
抱持部の挟持機構を、基部を枢結した２個の半円状の挟持体と、挟持体の基部間に、挟持体を閉口方向に押圧する操作ボルト部とで構成した請求項１又は２記載の管体の接続取り外し用手工具。
【発明の詳細な説明】
【技術分野】
【０００１】
本発明は、ソケットを備えたソケット管と、ソケットに差し込まれる挿入管との接続や、取り外しに使用する手工具に関するものである。
【背景技術】
【０００２】
管体の接続において、一方の接続管の端部にソケット部を設け、他方の接続管（挿入管）を前記ソケット部に差し入れ、ソケット内に設けたＯリングなどのシール部材で管路の密閉を実現して管路構成をなす手段が一般的に行われている。
【０００３】
前記の管体の接続を手作業で行う場合に、前記作業の手助けとなる手工具は従前より知られている。例えば実公平５−３３２６８号公報（特許文献１）には、コンパス状ジャッキの各脚部を、接続対象の管体に装着した管体締め付け具や、管体に結着したワイヤーと連結し、脚部の開閉操作で管体の抜き差しを行うようにしている工具が開示されている。
【０００４】
また特開平５−２６３７３号公報（特許文献２）には、前記のコンパス状ジャッキに替えて脚部の枢結位置がスライドして一方の脚部が梃子棒となる梃子式工具が開示されている。
【０００５】
また特開平５−２７２６６３号公報（特許文献３）には、管体を把持固定するクランプ部と、ソケット（パイプ継手）を係止する係止部と、前記クランプ部と前記係止部とを互いに対向させて拡開縮閉自在とした梃子を利用した開閉機構とを備えた直交ダブルプライヤータイプの工具が開示されている。
【０００６】
また特開平８−１５５８４９号公報（特許文献４）には、管体を抱持するチェ−ンを備えた２個の抱持体を、２本の棒フレ−ムに摺動自在に連結し、一方の抱持体に棒フレ−ムの送り機構部を設けた工具が開示されている。
【０００７】
【特許文献１】実公平５−３３２６８号公報
【特許文献２】特開平５−２６３７３号公報
【特許文献３】特開平５−２７２６６３号公報
【特許文献４】特開平８−１５５８４９号公報
【発明の開示】
【発明が解決しようとする課題】
【０００８】
ところで、特開２００３−１７６８８３号公報（図５参照）には、係止突部０１を設けた挿入管０２を、ソケット部（鞘管）０３を設けた他方連結管（ソケット管）０４に挿入して管路接続を行うものであって、鞘管端部近傍内周面に係止突部０１が係合する係合凹条部０５と、凹条部に係止突部が進出可能とする開口端切欠部０６を形成し、係止突部が係合凹条部に位置した際にリングシール０７で管路を密封し、開口端切欠部と空所係合凹条部を樹脂製装着体０８で塞ぐようにしてなる管路接続構造が開示されている。
【０００９】
前記の管路接続構造においては、挿入管を所定の回転位置（係止突部と開口端切欠部の一致する位置）で差し入れ、更に挿入後適宜に回転させる必要がある。また管体の接続解除に際しては、挿入管を所定位置まで回転させ、その後引き抜く必要がある。
【００１０】
前記の管接続作業は、前記した従前の手工具では実施できない。即ち特許文献１，３，４で開示された工具は、管体の抜き差しは可能であるが、一方の管のみを回動させる構造とはなっていないので、前記の一連の作業を実施することができない。
【００１１】
また特許文献２で開示されている工具は、理論的には、一方の管のみを回動させることが可能であるが、操作部分（操作レバー）が回動対応構造ではないし、更には管体の引き抜き操作に対応している構造でもない。
【００１２】
そこで本発明は、管体の抜き差し並びに回動の一連の作業を、確実に且つ容易に実施できる手工具を提案したものである。
【課題を解決するための手段】
【００１３】
本発明に係る管体の接続取り外し用手工具は、挿入管の挟持機構を備えた抱持部と、ソケット管のソケット部管軸方向全体及び半周以内を密着被覆すると共に、ソケット部外周を摺動可能な形状とした摺動部とを、管軸方向で抱持部と摺動部の間隔を調整できる作動杆で連結し、抱持部は又は摺動部に作動杆の動作機構を設けてなることを特徴とするものである。
【００１４】
従って抱持部で挿入管の所定位置を挟持し、挿入管をソケット管の管端近傍に位置させ、摺動部をソケット部に跨がせて密着させ、挿入管の係止突部と開口端切欠部の位置を合わせ、作動杆を動作させると挿入管をソケット部内に差し入れられる。そして挿入管を所定位置（係合凹条部）まで差し入れた後、摺動部をソケット部の外周面に沿って所定位置（係止突部が開口端切欠部から外れる位置）まで回動させると、挿入管とソケット管が接続される。
【発明の効果】
【００１５】
本発明は、上記構成を採用したことによって、工具を管路接続部分の所定位置に装着し、挿入管をソケット管に差し入れ、更にそのままで回動させるという一連の操作で簡単に管体の接続がなされ、また接続状態からは、回動、引き抜きと一連の操作によって容易に管体の分離を行うことができ、抜き差し及び回動を必要とする管路の接続分離の作業能率を格段に向上させるものである。
【発明を実施するための最良の形態】
【００１６】
次に本発明の実施の形態について説明する。実施形態に示した工具は、図５に例示した管路接続構造の管体着脱に使用するもので、挿入管０２の挟持機構を備えた抱持部１と、ソケット管０４のソケット部０３に当接する摺動部２と、管軸方向で抱持部１と摺動部２の間隔を調整できる作動杆３と、作動杆３を動作させる動作機構部４とで構成される。
【００１７】
抱持部１は、２個の挟持体１１ａ，１１ｂと、操作ボルト部１２で構成され、挟持体１１ａ，１１ｂは、半円状の挟持部１３ａ，１３ｂを有し、互いの基部を重ね合わせて枢結し、挟持部１３ａ，１３ｂを開閉自在としたもので、挟持部１３ａ，１３ｂと反対側の操作部１４ａ，１４ｂを対向形状に形成したものである。
【００１８】
また操作ボルト部１２は、押圧ボルト１５と、押圧ボルト１５を回転操作するハンドル１６で構成され、挟持体１１ａの操作部１４ａに螺合して、他方挟持体１１ｂの操作部１４ｂを押圧するようにしたものである。
【００１９】
摺動部２は、ソケット管０４のソケット部０３の管軸方向全体及び半周以内に密着して被覆できる形状で、且つソケット部０３の外周を円周方向に摺動可能な形状としたベース部２１を有し、このベース部２１の上面に後述する作動杆３と動作機構部４を組み込む角筒部２２を設けたものである。
【００２０】
作動杆３は、前記角筒部の管軸方向に前進後退自在に組み込んだもので、先端部は抱持部１の枢結軸となるように抱持部１に連結してなる。また上面部には、動作機構部４を構成するラック４１を刻設してなる。
【００２１】
動作機構部４は、前記したとおり作動杆３に刻設したラック４１と、摺動部２の角筒部２２に軸装して前記ラック４１と噛合うピニオンギア４２と、前記ピニオンギア４２を回動させる操作レバー４３とで構成してなるものである。
【００２２】
而して前記工具を以って図５に例示した管路接続を行うには、挟持部１３ａ，１３ｂを開口して、挿入管０２の所定位置（係止突部０１の後方）でハンドル１６を操作し、挟持部１３ａ，１３ｂで挿入管０２をしっかりと挟持する。勿論挟持した挿入管０２の管軸中心と、ベース部２１の円弧面の中心と一致させることはいうまでもない。
【００２３】
次に挿入管０２の管端をソケット管０４の管端近傍に位置させ、摺動部２のベース部２１をソケット部０３に跨がせて密着させ、挿入管０２の係止突部０１と開口端切欠部０６の位置を合わせ、操作レバー４３を動かすと作動杆３が動作し、挿入管０２をソケット部０３内に差し入れる。
【００２４】
そして挿入管０２を所定位置（係合凹条部０５）まで差し入れた後、摺動部２のベース部２１をソケット部０３の外周面に沿わせ、管軸線を中心にして工具全体を、所定位置（係止突部０１が開口端切欠部０６から外れる位置）まで回動させると、挿入管０２とソケット管０４が接続される。
【００２５】
管路の接続がなされると装着体０８を開口端切欠部０６に装着すると共に、ハンドル１６を操作して挟持体１１ａ，１１ｂによる挿入管０２の挟持を解除して工具を管路から外して作業が終了する。
【００２６】
また管路の切断のために挿入管０２をソケット管０４から取り外すには、装着体０８を外し、抱持部１と摺動部２を接近させた状態で、摺動部２のベース部２１をソケット部０３に跨がせ、抱持部１で挿入管０２を挟持し、工具全体の所定角度の回動の後、操作レバー４３を動かし、挿入管０２の引き抜きを行えば良いものである。
【図面の簡単な説明】
【００２７】
【図１】本発明の実施形態の全体斜視図。
【図２】同抱持部の説明図（左側面図）。
【図３】同使用状態の説明図（正面図）。
【図４】同摺動部の説明図（右側面図）。
【図５】本発明工具の使用対象となる管路接続構造の説明図。
【符号の説明】
【００２８】
１          抱持部
１１ａ，１１ｂ  挟持体
１２        操作ボルト部
１３ａ，１３ｂ  挟持部
１４ａ，１４ｂ  操作部
１５        押圧ボルト
１６        ハンドル
２          摺動部
２１        ベース部
２２        角筒部
３          作動杆
４          動作機構部
４１        ラック
４２        ピニオンギア
４３        操作レバー
【図１】
2005279905.tif 000003
【図２】
2005279905.tif 000004
【図３】
2005279905.tif 000005
【図４】
2005279905.tif 000006
【図５】
2005279905.tif 000007